(57)【要約】 【課題】物体の近接の検知に基づいて、適切に音声入力を受け付けることが可能な情報処理装置、情報処理方法、およびプログラムを提供する。【解決手段】情報処理装置は、物体の近接を検知し、また、情報処理装置の状態情報を取得し、近接検知手段が検知した物体の近接と、状態情報取得手段が取得した状態情報とに基づいて音声入力手段を有効にするか否かを判定し、音声入力手段を有効にするという判定の場合に、音声入力を有効にする。 【選択図】  図１
2014066848.tif 000002
【特許請求の範囲】
【請求項１】
音声の入力を受け付ける音声入力手段と、物体の近接を検知する近接検知手段と、情報処理装置の状態情報を取得する状態情報取得手段と、近接検知手段が検知した物体の近接と、状態情報取得手段が取得した状態情報とに基づいて音声入力手段を有効にするか否かを判定する音声制御判定手段と、音声入力手段を有効にするという判定の場合に、音声入力手段を有効にする音声入力制御手段と、を備えることを特徴とする情報処理装置。
【請求項２】
状態情報取得手段が取得する状態情報は、近接検知手段が近接を検知した検知時間であって、音声制御判定手段は、近接を検知した検知時間が所定時間以上であるときに、音声入力手段を有効にすると判定することを特徴とする請求項１記載の情報処理装置。
【請求項３】
情報処理装置は、さらに操作入力手段を備えており、状態情報取得手段は、操作入力手段が操作入力を受け付けている状態かどうかを状態情報として取得し、音声制御判定手段は、近接検知手段が検知した物体の近接と、操作入力を受け付けている状態かしているかどうかを示す状態情報とに基づいて音声入力手段を有効にするか否かを判定することを特徴とする請求項１または請求項２に記載の情報処理装置。
【請求項４】
情報処理装置は、さらに音声出力手段を備えており、状態情報取得手段は、音声出力手段が音声を出力している状態かどうかを状態情報として取得し、音声制御判定手段は、近接検知手段が検知した物体の近接と、音声を出力しているかどうかを示す状態態情報とに基づいて音声入力手段を有効にするか否かを判定することを特徴とする請求項１または請求項２に記載の情報処理装置。
【請求項５】
物体の近接を検知する近接検知ステップと、情報処理装置の状態情報を取得する状態情報取得ステップと、近接検知手段が検知した物体の近接と、状態情報取得手段が取得した状態情報とに基づいて音声入力手段を有効にするか否かを判定する音声制御判定ステップと、音声入力手段を有効にするという判定の場合に、音声入力手段を有効にする音声入力制御ステップと、を備えることを特徴とする情報処理方法。
【請求項６】
物体の近接を検知する近接検知ステップと、情報処理装置の状態情報を取得する状態情報取得ステップと、近接検知手段が検知した物体の近接と、状態情報取得手段が取得した状態情報とに基づいて音声入力手段を有効にするか否かを判定する音声制御判定ステップと、音声入力手段を有効にするという判定の場合に、音声入力手段を有効にする音声入力制御ステップと、を備えることを特徴とする情報処理プログラム。
【発明の詳細な説明】
【技術分野】
【０００１】
本発明は、情報処理装置、情報処理方法、およびプログラムに関し、特に物体の近接の検知に基づいて、適切に音声入力を受け付ける情報処理装置、情報処理方法、およびプログラムに関する。
【背景技術】
【０００２】
従来から、携帯情報端末、携帯電話、携帯オーディオ装置、ナビゲーション装置などの情報処理装置において、ユーザの音声入力を認識し、入力された音声に従った処理を実行することが行なわれている。また、特許文献１には、音声コマンドに応じて携帯通信装置の動作を制御する音声認識手段を備えた携帯通信装置であって、携帯通信装置に近接した物体が存在するか示す制御信号に応じて、携帯通信装置の音声制御動作を制御する技術が開示されている。この技術によれば、特定のボタンの場所に手を位置させそのボタンを押下する代わりに、装置の近くに手を動かせば、音声認識を作動させることができる。
【先行技術文献】
【特許文献】
【０００３】
【特許文献１】特表２００３−５０１９５９号公報
【発明の概要】
【発明が解決しようとする課題】
【０００４】
しかしながら、例えばタッチパネルなどの操作部を備える情報処理装置において、ユーザが音声認識の開始を意図しない場合の情報処理装置への近接についても、情報処理装置の音声認識を作動させてしまい、さらには意図しない処理が実行されてしまう恐れもある。
【０００５】
そこで、本発明は、上記の問題に鑑みてなされたものであり、物体の近接の検知に基づいて、適切に音声入力を受け付けることが可能な情報処理装置、情報処理方法、およびプログラムを提供する。
【課題を解決するための手段】
【０００６】
本発明にかかる情報処理装置は、音声の入力を受け付ける音声入力手段と、物体の近接を検知する近接検知手段と、情報処理装置の状態情報を取得する状態情報取得手段と、近接検知手段が検知した物体の近接と、状態情報取得手段が取得した状態情報とに基づいて音声入力手段を有効にするか否かを判定する音声制御判定手段と、音声入力手段を有効にするという判定の場合に、音声入力手段を有効にする音声入力制御手段と、を備えることを特徴とする。
【発明の効果】
【０００７】
以上、説明したように本発明によれば、物体の近接の検知に基づいて、適切に音声入力を受け付けることができる。
【図面の簡単な説明】
【０００８】
【図１】本発明の実施形態に係る情報処理装置の機能ブロック図である。
【図２】同実施例の処理の一例を示すフローチャートである。
【図３】同実施例の動作態様を説明する図である。
【図４】同実施例の動作態様を説明する図である。
【図５】同実施例の動作態様を説明する図である。
【発明を実施するための形態】
【０００９】
以下に、本発明の実施例を図面に沿って詳細に説明する。なお、この実施例によりこの発明が限定されるものではない。
【００１０】
［情報処理端末の構成］
【００１１】
図１は、本発明における情報処理装置において、特に音声入力を適切に受け付けるための機能ブロック図を主として示しており、本発明の各種態様を実施することができるようにした機能ブロック図を示している。なお、同図において、各機能を行なう機能部は、それぞれ各機能を行なう手段ということができる。
【００１２】
図１に示すように、本実施形態の情報処理装置１００は、概略的に、制御部１０２と入出力部（音声出力部１１２、音声入力部１１４、操作入力部１１８、および、表示部１１８）とを少なくとも備える。情報処理端末１００は、例えば、一般に市販される携帯電話、スマートフォン、ＰＨＳおよびＰＤＡ等の携帯端末装置、および走行経路案内等を行なうナビゲーション端末（例えば、カーナビゲーション装置）等である。ここで、情報処理装置１００は、インターネットブラウザ等を搭載していてもよく、経路案内アプリケーション、乗換案内アプリケーション、および情報検索アプリケーション等を搭載していてもよい。また、情報処理装置１００は、リアルタイムに現在位置取得が行えるよう、ＧＰＳ機能やＩＭＥＳ機能等を有する位置取得部を備えていてもよい。また、情報処理装置１００は、音声出力部１１２、音声入力部１１４、操作入力部１１８、および、表示部１１８を少なくとも含む入出力部を備えていてもよい。
【００１３】
ここで、表示部１１８は、アプリケーション等の表示画面を表示する表示手段（例えば、液晶または有機ＥＬ等から構成されるディスプレイおよびモニタ等）であってもよい。また、音声出力部１１２は、音声データを音声として出力する音声出力手段（例えば、スピーカ等）であってもよい。また、情報処理装置１００は、音声の入力を行う音声入力部１１４（例えば、マイク等）を備えていてもよい。また、押下することにより入力等を行なう操作入力部１１６（例えば、ボタン、スイッチ等）を備えていても良い。ここで、表示部１１８は、タッチパネル等であり入力部として機能するものであっても良い。また、入出力制御インタフェース部１０４は、音声出力部１１２、音声入力部１１４、操作入力部１１８、および、表示部１１８等の制御を行う。
【００１４】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、近接検知部１０２ａ、状態情報取得部１０２ｂ、音声制御判定部１０２ｃ、音声入力制御部１０２ｄ、および、音声処理部１０２ｅを備える。
【００１５】
近接検知部１０２ａは、物体が近接したことを検出する近接検知手段である。ここで、物体の近接を検知する方式として、赤外線型で検知するものであってもよく、誘導型、静電容量型、超音波型、電磁波型等方式であってもよい。また、状態情報取得部１０２ｂは、情報処理端末の状態を取得する状態情報取得手段である。ここで、取得する状態情報は、情報処理端末１００の近接検知部１０２ａが検知する物体の近接時間であってもよいし、音声出力部１１２が音声を出力している状態かどうかの情報でもよい。また、取得する状態情報は、操作入力部１１６または表示部１１８において操作を受け付けている状態かどうかの情報でもよい。
【００１６】
音声制御判定部１０２ｃは、状態情報取得部１０２ｂの取得した状態情報に基づいて音声入力部１１４を有効にするか、または無効にするかを制御する音声制御判定手段である。例えば、音声制御判定部１０２ｃは、物体の近接時間が所定時間以上である場合には、音声入力部１１４を有効にする。また、近接の検知があり、かつ、状態情報として操作入力部１１６または表示部１１８が入力操作を受け付けている状態である場合には、音声入力部１１４を無効にすると判定する。無効にする判定として、音声入力部１１４が無効の状態である場合には、無効の状態のままにすること、また、すでに音声入力１１４が有効になっている場合には、無効にするという判定も含んでも良い。さらに、近接の検知があり、かつ、状態情報として音声出力部１１２から音声が出力されている状態である場合には、音声入力部１１４を無効にすると判定する。
【００１７】
音声入力制御部１０２ｄは、音声制御判定部１０２ｃが音声入力部１１４を有効にすると判定した場合に、音声入力部１１４を有効にする。例えば、マイクをオンにするなどである。一方、音声制御判定部１０２ｃが無効にすると判定した場合には、音声入力部１１４を無効にする。例えば、マイクをオフにするなどである。また、音声入力部１１４が無効の状態である場合には、無効の状態のままにするものでも良いし、また、すでに音声入力部１１４が有効になっている場合には、無効にするものでも良い。
【００１８】
音声処理部１０２ｅは、音声入力部１１４を介して受け付けた音声を処理する。具体的には、音声処理部１０２ｅは、受け付けた音声をテキストへ変換処理するものであってもよいし、入力を受け付けた音声に基づいて処理コマンドを選択するものでも良い。さらに、ネットワークを介して接続されたサーバに入力を受け付けた音声または入力を受け付けた音声に基づいて得られるデータを送信し、サーバから受信するデータに基づいて入力された音声を処理するものであっても良い。
【００１９】
以上で、本実施形態における情報処理装置の構成の一例の説明を終える。
【００２０】
［情報処理装置の処理］
【００２１】
次に、このように構成された本実施形態における情報処理装置の処理の一例について、以下に図２から図５を参照して詳細に説明する。図２は、本実施形態における情報処理装置の処理の一例の示すフローチャートである。
【００２２】
図２に示すように、まず、情報処理装置１００の近接検知部１０２ａは、物体の近接を検知しなかった場合（ステップＳ１：ＮＯ）、処理を終了する。一方、情報処理装置１００の近接検知部１０２ａは、物体の近接を検知した場合（ステップＳ１：ＹＥＳ）、状態情報取得部１０２ｂは情報処理装置１００の状態情報を取得する（ステップＳ２）。
【００２３】
ここで、図３〜図５を参照して、本実施例における取得する状態情報の一例について説明する。図３〜図５は、本実施例における取得する状態情報の一例を示す図である。
【００２４】
図３は、情報処理装置１００の近接検知部１０２ａ付近に手がかざされた状態を示す図である。図３に示すように、状態情報取得部１０２ｂは物体の近接を検知し続けている時間である、物体の近接時間を取得する。物体の近接時間は、物体の近接が検知された時刻と、物体の近接が終了した時刻から取得するものであってもよいし、物体の近接が検知されている間にタイマーカウントするものであっても良い。
【００２５】
図４は、情報処理端末１００の近接検知部１０２ａ付近に手がある状態であり、操作入力部１１６または表示部１１８が操作を受け付けている状態を示している。図４に示すように、状態情報取得部１０２ｂは、操作入力部１１６または表示部１１８が操作を受け付けているかどうかの情報を取得するものであってもよい。さらに、状態情報として、物体の近接時間を取得している際に、加えて状態情報として操作を受け付けているという情報を取得した場合には、近接時間をリセットし、操作を受け付けている状態でないという情報を取得した後、再度近接時間を取得しなおすようにしても良い。または、物体の近接時間と、操作の受け付け情報とについて、それぞれ優先度を設け、優先度に基づいて音声制御判定部１０２ｃは音声入力部１１４を有効にするかの判定をするものでも良い。
【００２６】
図５は、情報処理装置１００の音声出力部１１２が音声を出力中であることを示す図である。図５に示すように、状態情報取得部１０２ｂは、状態情報として音声出力部１１２が音声を出力中であるかどうかの情報であってもよい。さらに、状態情報として、物体の近接時間を取得している際に、加えて状態情報として音声の出力中を示す情報を取得した場合には、近接時間をリセットし、音声の出力中を示す状態でないという情報を取得した後、再度近接時間を取得しなおすようにしても良い。または、物体の近接時間と、音声の出力中を示す情報とについて、それぞれ優先度を設け、優先度に基づいて音声制御判定部１０２ｃは音声入力部１１４を有効にするかの判定をするものでも良い。
【００２７】
図２に戻り、情報処理装置１００の音声制御判定部１０２ｃは、近接の検知と、状態情報とに基づいて音声入力制御の判定を行なう（ステップＳ３）。すなわち、近接の検知があり、かつ、状態情報として物体の近接の検知している時間が所定時間以上である場合には、音声入力部１１４を有効にすると判定する。
【００２８】
別の例として、例えば図４に示すように、近接の検知があり、かつ、状態情報として操作入力部１１６または表示部１１８が入力操作を受け付けている状態である場合には、音声入力部１１４を無効にすると判定する。上述のように、さらに、状態情報として、物体の近接時間を取得している際に、加えて状態情報として操作を受け付けているという情報を取得した場合には、近接時間をリセットし、操作を受け付けている状態でないという情報を取得した後、再度近接時間を取得しなおすようにしても良い。または、物体の近接時間と、操作の受け付け情報とについて、それぞれ優先度を設け、優先度に基づいて音声制御判定部１０２ｃは音声入力部１１４を有効にするかの判定をするものでも良い。
【００２９】
さらに、他の例として、例えば図５に示すように、近接の検知があり、かつ、状態情報として音声出力部１１２から音声が出力されている状態である場合には、音声入力部１１４を無効にすると判定する。上述のように、さらに、状態情報として、物体の近接時間を取得している際に、加えて状態情報として音声の出力中を示す情報を取得した場合には、近接時間をリセットし、音声の出力中を示す状態でないという情報を取得した後、再度近接時間を取得しなおすようにしても良い。または、物体の近接時間と、音声の出力中を示す情報とについて、それぞれ優先度を設け、優先度に基づいて音声制御判定部１０２ｃは音声入力部１１４を有効にするかの判定をするものでも良い。
【００３０】
そして、情報処理装置１００の音声入力制御部１０２ｄは、音声制御判定部１０２ｃが音声入力を無効にすると判定した場合には、音声入力部１１４を無効にし、処理は終了する（ステップＳ４：ＮＯ）。一方、情報処理装置１００の音声入力制御部１０２ｄは、音声制御判定部１０２ｃが音声入力を有効にすると判定した場合には、音声入力部１１４を有効にし（ステップＳ４：ＹＥＳ）、情報処理装置１００の音声処理部１０２ｅは、音声入力部１１４を介して入力される音声を処理する（ステップＳ５）。音声入力部１１４を有効にするとは、例えば、マイクをオンにするなどである。一方、音声入力部を無効にするとは、例えば、マイクをオフにするなどである。また、音声入力部１１４が無効の状態である場合には、無効の状態のままにするものでも良いし、また、すでに音声入力１１４が有効になっている場合には、無効にするものでも良い。
【００３１】
以上で、本実施例における情報処理装置１００の処理の一例の説明を終える。
【００３２】
［他の実施例］
【００３３】
さて、これまで本発明の実施の形態について説明したが、本発明は、上述した実施の形態以外にも、特許請求の範囲に記載した技術的思想の範囲内において種々の異なる実施の形態にて実施されてよいものである。また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００３４】
このほか、上記文献中や図面中で示した処理手順、制御手順、具体的名称、各処理の登録データや検索条件等のパラメータを含む情報、画面例、データベース構成については、特記する場合を除いて任意に変更することができる。
また、情報処理装置１００に関して、図示の各構成要素は機能概念的なものであり、必ずしも物理的に図示の如く構成されていることを要しない。更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【符号の説明】
【００３５】
１００  情報処理装置
１０２  制御部
１０２ａ  近接検知部
１０２ｂ  状態情報取得部
１０２ｃ  音声制御判定部
１０４  入出力制御インタフェース
１０６  記憶部
１０６ａ  案内経路データファイル
１０６ｂ  地図データファイル
１１２  音声出力部
１１４  音声入力部
１１６  表示部
【図１】
2014066848.tif 000003
【図２】
2014066848.tif 000004
【図３】
2014066848.tif 000005
【図４】
2014066848.tif 000006
【図５】
2014066848.tif 000007